(57)【要約】【課題】糸くずなどの捕集効果をより向上させることができるドラム式洗濯機を提供する。【解決手段】ドラム７の内部において糸くずなどを捕集するため、二つのフィルタ面５０Ａ，５０Ｂに夫々複数の大開口部５７，小開口部５６を有するフィルタ５０を、バッフル９Ａの内部に配置する。【選択図】　図１
2004089339.tif 000002
【特許請求の範囲】
【請求項１】
外箱内に配設された水槽と、
この水槽内に横軸状態で回転可能に配設され、内部に洗濯物が収容されるドラムと、
このドラムの内周面に軸方向に沿って配置されるバッフルと、
このバッフルの内部に配置される箱状のフィルタとを備え、
前記フィルタは、前記ドラムが回転する方向に位置する二つのフィルタ面に、夫々大きさが異なる複数の開口部を有していることを特徴とするドラム式洗濯機。
【請求項２】
外箱内に配設された水槽と、
この水槽内に横軸状態で回転可能に配設され、内部に洗濯物が収容されると共に、回転軸が前記洗濯物の投入方向に対して下方に傾斜してなるドラムと、
このドラムの内周面に軸方向に沿って配置されるバッフルと、
このバッフルの内部に配置される箱状のフィルタとを備え、
前記フィルタは、前記ドラムが回転する方向に位置する二つのフィルタ面に複数の開口部を有しており、前記洗濯物の投入方向奥側に位置する開口部は、投入方向手前側に位置する開口部よりも開口面積が小さく形成されていることを特徴とするドラム式洗濯機。
【請求項３】
外箱内に配設された水槽と、
この水槽内に横軸状態で回転可能に配設され、内部に洗濯物が収容されるドラムと、
このドラムの内周面に軸方向に沿って配置されるバッフルと、
このバッフルの内部に配置され、前記ドラムが回転する方向に位置する二つのフィルタ面に夫々複数の開口部を有する箱状のフィルタとを備え、
すすぎ運転時における前記ドラム内の水位を、洗い運転時における水位よりも高くなるように設定することを特徴とするドラム式洗濯機。
【請求項４】
前記フィルタは、二つのフィルタ面の夫々に設けられている開口部の開口面積が異なるように形成されていることを特徴とする請求項３記載のドラム式洗濯機。
【請求項５】
すすぎ運転時におけるドラムの回転方向を、フィルタにおいて面積が大きい開口部が配置されている一方向とすることを特徴とする請求項４記載のドラム式洗濯機。
【請求項６】
ドラムの回転方向を一方向としてすすぎ運転を行った後、ドラム内の水位を低下させると共にドラムの回転方向を交互に正反転させて更にすすぎ運転を行うことを特徴とする請求項５記載のドラム式洗濯機。
【請求項７】
ドラム内の水位を洗い運転時の水位より変化させて行うすすぎ運転を、選択的に実行可能とすることを特徴とする請求項３乃至６の何れかに記載のドラム式洗濯機。
【請求項８】
バッフルにも、フィルタ機能を成すためのメッシュが形成されていることを特徴とする請求項１乃至７の何れかに記載のドラム式洗濯機。
【請求項９】
バッフルの径方向断面形状を、フィルタの取付け位置に対して非対称にしたことを特徴とする請求項１乃至８の何れかに記載のドラム式洗濯機。
【請求項１０】
フィルタは、バッフルに対して着脱可能に構成されていると共に、その着脱を行なうための操作部を洗濯物の投入方向手前側に備えていることを特徴とする請求項１乃至９の何れかに記載のドラム式洗濯機。
【請求項１１】
フィルタは、ヒンジ部を有して本体が開閉可能に構成されていることを特徴とする請求項１０記載のドラム式洗濯機。
【請求項１２】
フィルタは、バッフルの上面側から着脱を行い、装着した際にバッフルの上面部を閉塞するように構成されていることを特徴とする請求項１０または１１記載のドラム式洗濯機。
【請求項１３】
バッフルは、ドラムの背面に補強のために形成されている凸部の位置に合わせて配置されていることを特徴とする請求項１乃至１２の何れかに記載のドラム式洗濯機。
【発明の詳細な説明】
【０００１】
【発明の属する技術分野】
本発明は、外箱内に配設された水槽内に横軸状態で回転可能に配設され、内部に洗濯物が収容されるドラムの内周面に、軸方向に沿って配置されるバッフルを有してなるドラム式洗濯機に関する。
【０００２】
【発明が解決しようとする課題】
近年、ドラム式洗濯機の普及が進みつつある。ドラム式洗濯機は、従来より用いられている縦型の全自動洗濯機に比較して、少ない水量で洗濯を行うことができると共に、洗濯物の傷みが少なく乾燥運転にも適した形態であるなどのメリットを有している。
【０００３】
縦型の全自動洗濯機によって洗濯を行なうと、洗濯物が極僅か傷むことで糸くず（リント）が発生することが避けられず，その糸くずを捕集するためのフィルタを配置することは必須であった。それに対して、ドラム式洗濯機では、洗濯物の傷みがはるかに少ないことから、糸くず捕集用のフィルタを設ける必要性は低かった。また、ドラム式では構造上フィルタを設け難いという理由も存在する。
【０００４】
ところが、いかに洗濯物から直接発生する糸くずが少ないといっても、例えば、衣類のポケットの中にあるティッシュペーパーや名刺などを取り出し忘れた状態で洗濯を行なってしまうことは良くある。或いは、家屋内で犬や猫などのペットを飼っていると、それらの毛が衣類などに付着している場合が多い。従って、洗濯中にそれらが浮遊物となることは十分に想定されるので、捕集用のフィルタはやはり存在しているほうが好ましい。
【０００５】
そのような従来技術として、例えば、特開平８−４７５９３号公報には、ドラムの内周部に配置され、回転時に洗濯物を係止して回転方向に移動させるバッフルにフィルタを設けたドラム式洗濯機が開示されている。しかしながら、斯様に単純な構造のフィルタでは、一端捕集した糸くずを保持しきれず、再度水中に放出されてしまうことが想定され、実際のフィルタ効果は極めて疑わしいと言わざるを得ない。また、ドラム式洗濯機におけるドラム内の水位は、所謂「たたき洗いに」よる洗浄効果を十分に得るため低めに設定されており、洗濯物に付着した糸くず等が遊離し難いという問題もあった。
本発明は上記事情に鑑みてなされたものであり、その目的は、糸くず等の捕集効果をより向上させることができるドラム式洗濯機を提供することにある。
【０００６】
【課題を解決するための手段】
上記目的を達成するため、請求項１記載のドラム式洗濯機は、外箱内に配設された水槽と、
この水槽内に横軸状態で回転可能に配設され、内部に洗濯物が収容されるドラムと、
このドラムの内周面に軸方向に沿って配置されるバッフルと、
このバッフルの内部に配置される箱状のフィルタとを備え、
前記フィルタは、前記ドラムが回転する方向に位置する二つのフィルタ面に、夫々大きさが異なる複数の開口部を有していることを特徴とする。
【０００７】
斯様に構成すれば、バッフルの内部に配置されたフィルタにおける２つのフィルタ面の内、より大きな開口部が設けられているフィルタ面方向にドラムが回転すると、水中に浮遊している糸くず等はその開口部を介してフィルタの内部に捕集される。そして、ドラムの回転方向が反転すると、フィルタ面の開口が小さいため糸くず等の捕集効果は相対的に小さくなるが、一旦捕集された糸くず等が再度フィルタ外部に放出されることもない。従って、総合的には糸くず等の捕集効率を高めることができる。
【０００８】
請求項２記載のドラム式洗濯機は、外箱内に配設された水槽と、
この水槽内に横軸状態で回転可能に配設され、内部に洗濯物が収容されると共に、回転軸が前記洗濯物の投入方向に対して下方に傾斜してなるドラムと、
このドラムの内周面に軸方向に沿って配置されるバッフルと、
このバッフルの内部に配置される箱状のフィルタとを備え、
前記フィルタは、前記ドラムが回転する方向に位置する二つのフィルタ面に複数の開口部を有しており、前記洗濯物の投入方向奥側に位置する開口部は、投入方向手前側に位置する開口部よりも開口面積が小さく形成されていることを特徴とする。
【０００９】
即ち、ユーザがドラムに対して洗濯物の出し入れを行なうことを容易にするためその回転軸を傾斜させたタイプの洗濯機では、バッフルの内部に配置されたフィルタが下方側に位置した場合、そのフィルタは、水面に対して斜めに、つまり、洗濯物の投入方向手前側が浅く奥側が深くなる状態で浸水するようになる。従って、フィルタ面において投入方向奥側に位置する開口部の開口面積を小さく形成すれば、ドラムの回転時にフィルタの手前側まで水位が上がった際に面積が大きな開口部を介してフィルタに捕集された糸くず等は、水位が下がる過程においてフィルタの奥側に移動する。従って、請求項１と同様に一旦捕集された糸くず等が再度フィルタ外部に放出されることがなく、糸くず等の捕集効率を高めることができる。
【００１０】
請求項３記載のドラム式洗濯機は、外箱内に配設された水槽と、
この水槽内に横軸状態で回転可能に配設され、内部に洗濯物が収容されるドラムと、
このドラムの内周面に軸方向に沿って配置されるバッフルと、
このバッフルの内部に配置され、前記ドラムが回転する方向に位置する二つのフィルタ面に夫々複数の開口部を有する箱状のフィルタとを備え、
すすぎ運転時における前記ドラム内の水位を、洗い運転時における水位よりも高くなるように設定することを特徴とする。
【００１１】
一般に、ドラム式洗濯機は、縦型洗濯機に比較して少ない水量で洗濯を行なえることが特徴である。しかしながら、糸くず等をフィルタで捕集することを想定すると、ドラム内の水位をより高くした方が洗濯物に付着している糸くず等を遊離させ易い。そして、ドラム式洗濯機のすすぎ運転においては、ドラム内の水位を高くしてもすすぎ効果が低下するということはない。従って、斯様に構成すれば、すすぎ運転時においてフィルタによる糸くず等の捕集効率を高めることができる。
【００１２】
この場合、請求項４に記載したように、前記フィルタを、二つのフィルタ面の夫々に設けられている開口部の開口面積が異なるように形成すると良く、斯様に構成すれば、請求項３の構成においても請求項１と同様の作用効果を得ることができる。
【００１３】
また、この場合、請求項５に記載したように、すすぎ運転時におけるドラムの回転方向を、フィルタにおいて面積が大きい開口部が配置されている一方向とすることが好ましい。斯様に構成すれば、すすぎ運転においてフィルタ面の大きな開口部側より糸くず等をより多く捕集することができる。
【００１４】
更に、請求項６に記載したように、ドラムの回転方向を一方向としてすすぎ運転を行った後、ドラム内の水位を低下させると共にドラムの回転方向を交互に正反転させて更にすすぎ運転を行うことが好適である。即ち、請求項５のようにドラムの回転方向を一方向としたまますすぎ運転を継続すると、洗濯物が絡み合うおそれがあるので、その後に水位を低下させ、ドラムの回転方向を交互に正反転させて通常のすすぎ運転を行うことで、布絡みを防止することができる。
【００１５】
また、請求項７に記載したように、ドラム内の水位を洗い運転時の水位より変化させて行うすすぎ運転を、選択的に実行可能としても良い。即ち、ユーザの判断で、フィルタによって糸くず等を捕集することよりも、使用される水量を節約する方を優先させたい場合には、選択的に通常と同様のすすぎ運転を行わせることができる。
【００１６】
以上の場合において、請求項８に記載したように、バッフルにも、フィルタ機能を成すためのメッシュを形成すると良い。斯様に構成すれば、フィルタによって糸くず等を捕集する前の段階で、バッフルが備えるメッシュによってフィルタ効果を得ることができる。
【００１７】
また、請求項９に記載したように、バッフルの径方向断面形状を、フィルタの取付け位置に対して非対称にすると良い。即ち、フィルタをバッフルに配置するに当たってそのフィルタ効果を良好に得るには、フィルタ面の面積を極力大きく確保することが望ましいので、フィルタはバッフルの最大高さ寸法に一致するように略中央部に位置させれば良い。
【００１８】
一方、バッフルをドラムの内周面に固着するには、ドラムの外周側から固着を行なうための機構部をバッフル内部に形成する必要がある。そして、バッフルの径方向断面形状をフィルタの取付け位置に対して非対称にすることで前記機構部を当該取付け位置よりずらして配置すれば、これらの要請を同時に満たすことが容易となる。
【００１９】
更に、請求項１０に記載したように、フィルタを、バッフルに対して着脱可能に構成すると共に、その着脱を行なうための操作部を洗濯物の投入方向手前側に備えると良い。斯様に構成すれば、ユーザが投入方向手前側において操作部を操作することができ、フィルタをバッフルより容易に取外して清掃等を行なうことが可能となる。
【００２０】
また、請求項１１に記載したように、フィルタに、ヒンジ部を備えて本体が開閉可能となるように構成すると良く、斯様に構成すれば、フィルタ内部に捕集された糸くず等の除去を容易に行うことができる。
【００２１】
また、請求項１２に記載したように、フィルタを、バッフルの上面側から着脱を行い、装着した際にバッフルの上面部を閉塞するように構成すると良く、斯様に構成すれば、フィルタが捕集した糸くず等が上面部から放出されることを防止できる。
【００２２】
加えて、請求項１３に記載したように、バッフルを、ドラムの背面に、補強のために形成されている凸部の位置に合わせて配置するのが好ましい。即ち、その凸部も、ドラムの背面側に位置する洗濯物に対してはバッフルと同様の作用をなすことになるので、洗濯作用をより向上させることができる。また、凸部は、ドラムの回転時に水をかき上げる作用をなし、そのかき上げられた水はバッフルに沿ってフィルタへ流れ込み易くなる。従って、フィルタによる糸くず等の捕集効果を高める作用もなす。
【００２３】
【発明の実施の形態】
以下、本発明の一実施例について図面を参照して説明する。まず、ドラム式洗濯機の全体構成を示す図５において、ドラム式洗濯機の外殻をなす外箱１の前面部には中央部に扉２が設けられている。この扉２は、外箱１の前面部中央部に形成された洗濯物出入れ口４を開閉するためのものである。
【００２４】
外箱１の内部には、円筒状をなす水槽５が配設されている。この水槽５は、その軸方向が前後方向（図５では左右方向）となる横軸状で、しかも前上がりの傾斜状に配設されていて、弾性支持装置６により弾性的に支持されている。水槽５の内部には、円筒状をなすドラム７が水槽５と同軸状に配設されている。このドラム７は、洗濯のほか、脱水及び乾燥に共用の槽として機能するものであり、胴部のほぼ全域に小孔８が多数形成され（一部のみ図示）、胴部の内周部にはバッフル９が例えば１２０度間隔で３つ設けられている（図６参照，図５では一つのみ図示）。
【００２５】
尚、図６に示すように、ドラム７の背面には、その裏面側より図示しない補強部材を取り付けるための凸部７ａが回転中心から周方向にかけて放射状に１２０度間隔で形成されており、３つのバッフル９はその凸部７ａの位置に合わせて配置されている。即ち、凸部７ａも、ドラム７の背面側に位置する洗濯物を係止してドラム７の回転方向に移動させるため、バッフル９と同様の作用をなす。また、凸部７ａを形成することだけでもドラム７を構造的に補強する作用を成している。
【００２６】
水槽５及びドラム７は、それぞれ前面部に洗濯物出入れ用の開口部１０，１１を有しており、このうち水槽５の開口部１０は、前記洗濯物出入れ口４にベロー１２によって水密に連ねられ、ドラム７の開口部１１は、その水槽５の開口部１０に臨んでいる。ドラム７の開口部１１の周囲部にはバランスリング１３が設けられている。
【００２７】
上記水槽５の背面部には、ドラム７を回転駆動するモータ１４が配設されている。このモータ１４は、この場合アウタロータ形のＤＣブラシレスモータであり、そのステータ１５が、水槽５の背部中央部に取り付けられた軸受ハウジング１６の外周部に取り付けられている。ロータ１７は、ステータ１５を外側から覆うように配置されていて、中心部に取り付けられた回転軸１８が、上記軸受ハウジング１６に軸受１９を介して回転可能に支承されている。軸受ハウジング１６から突出した回転軸１８の前端部が、ドラム７の背部の中央部に連結されている。従ってこの場合、モータ１４のロータ１７が回転すると、当該ロータ１７と一体にドラム７も回転する構成となっている。
【００２８】
水槽５の下面部には水溜部２０が設けられており、この水溜部２０の内部に洗濯水加熱用のヒータ２１が配設され、水溜部２０の後部に、排水弁２２を介して排水ホース２３が接続されている。
【００２９】
水槽５の上部には温風生成装置２４が設けられ、水槽５の背部には熱交換器２５が設けられている。このうち温風生成装置２４は、ケース２６内に配設された温風用ヒータ２７と、ケーシング２８内に配設されたファン２９と、このファン２９をベルト伝動機構３０を介して回転駆動するファンモータ３１とから構成されていて、ケース２６とケーシング２８とは連通されている。また、ケース２６の前部にはダクト３２が接続されていて、このダクト３２の先端部が、水槽５内の前部に突出していて、ドラム７の開口部１２に臨んでいる。
【００３０】
ここで、温風用ヒータ２７とファン２９とによって温風が生成され、その温風は、ダクト３２を通してドラム７内に供給される。ドラム７内に供給された温風は、ドラム７内の洗濯物を加熱すると共に水分を奪い、熱交換器２５側へ排出される。
【００３１】
上記熱交換器２５は、上部が上記ケーシング２８内と連通し、下部が水槽５内と連通している。この熱交換器２５は、水が上部から注ぎ入れられて流下することにより、内部を通る空気中の水蒸気を冷却し凝縮させて除湿する水冷式のものである。この熱交換器２５を通った空気は、再び温風生成装置２４に戻され、温風化されて循環する。
【００３２】
ドラム７の内部に配置されている３つのバッフル９の内の１つ（バッフル９Ａとする）には、糸くずなどを捕集するためのフィルタ５０が着脱可能に取り付けられている。図１（ａ）は、バッフル９Ａにフィルタ５０が装着された状態を示す斜視図、図１（ｂ），（ｃ）は、分離した状態のフィルタ５０，バッフル９Ａを夫々示す斜視図である。
【００３３】
バッフル９Ａは、径方向断面が概ね台形状を成しており（図３（ｂ）参照）、その軸方向中央部分にはフィルタ５０を挿入するための挿入部５１が形成されている。一方、フィルタ５０は、軸方向に細長く延びた箱状に形成されており、その両側面（例えば図５における左右、即ち、ドラム７の回転方向側の面）がフィルタ面５２Ａ，５２Ｂとなっている。
【００３４】
また、フィルタ５０の軸方向手前側（開口部１１側）には、ユーザが指を引っ掛けて主にフィルタ５０をバッフル９Ａより取外す際に使用する操作部５３が上面部５４を延設するようにして形成されている。一方、フィルタ５０の軸方向奥側端部にはヒンジ５５が形成されており、図１（ｄ）に示すように手前側から両フィルタ面５２Ａ，５２Ｂを左右に開くことができるようになっている。
【００３５】
図２（ａ），（ｂ）には、フィルタ面５２Ａ，５２Ｂを夫々示す。フィルタ面５２Ｂには、一辺１〜３ｍｍ程度の矩形をなす複数の小開口部５６が形成されている。また、フィルタ面５２Ａには、手前側から奥側にかけて約３／４、また上面側から底面側にかけて約２／３に一辺５〜１０ｍｍ程度の複数の大開口部５７が形成されている。そして、残りの部分には、フィルタ面５２Ｂと同様の小開口部５６が形成されている。
【００３６】
バッフル９Ａにおいて、フィルタ５０が装着された場合にフィルタ面５２Ａ，５２Ｂが夫々位置する側には、大開口部５７と同程度の大きさをなすメッシュ５８が形成されている。
【００３７】
図３（ａ）はバッフル９Ａの底面図，図３（ｂ）は（ａ）のＡ−Ｂ断面を示す図である。フィルタ５０をバッフル９Ａに装着するに当たってそのフィルタ効果を良好に得るには、フィルタ面５２Ａ，５２Ｂの面積を極力大きく確保することが望ましい。従って、フィルタ５０はバッフル９Ａの最大高さ寸法に一致するように、その略中央部に位置するよう配置される。
【００３８】
一方、バッフル９Ａをドラム７の内周面に固着するには、バッフル９Ａの裾部に形成された爪５９をドラム７側に設けられた図示しない嵌合部にはめ込み、バッフル９Ａの中央部付近にボス６０を形成してドラム７の外周側からねじ止めすることが有効である。これらの要請を満たすため、バッフル９Ａにおいては、ねじ止め用のボス６０を、バッフル９Ａが挿入される位置を避けて中心よりずらした位置（図３中左方向）に形成している。その結果、バッフル９Ａの断面形状は左右方向に非対称となっている。
【００３９】
以上のようにしてフィルタ５０をバッフル９Ａに装着することで、以下のような作用により水中に浮遊する糸くずなどの捕集を行うことが可能となる。図４（ａ）に示すように、ドラム７の回転方向がフィルタ５０のフィルタ面５２Ａ側になると、糸くずは、大開口部５７を介してフィルタ５０に捕集される。そして、バッフル９Ａが移動することでフィルタ５０内部の水位が低下すれば、糸くずは小開口部５６が形成されているフィルタ５０の底部に移動する。一方、ドラム７の回転方向が反転した場合は、フィルタ５０のフィルタ効果は得にくくなるが、正転時に捕集された糸くずがフィルタ５０の外部に放出されることも極力防止される。
【００４０】
更に、ドラム７は軸方向奥行き側（洗濯物が投入される方向）に向かって下方に傾斜しているので、バッフル９Ａがドラム７の内部に注水された水位（例えば、図５に示すＬ１、Ｌ２等）に対して、フィルタ５０は奥行き端部側がより深く水没した状態になる。従って、ドラム７が回転して水位が上昇した際にフィルタ５０の内部に捕集された糸くずは、水位が下がる過程で小開口部５６のみが形成されている奥行き端部側に移動するようになり、捕集効果がより高められる。
【００４１】
一方、図７には、本発明に関係した電気的構成がブロックによって示されている。本発明の制御手段を構成する制御装置４０は、マイクロコンピュータを含んだ構成となっている。この制御装置４０には、操作パネルの各種の操作入力部３３と、水槽５内の水位を検出する水位センサ４１、ドラム７回転用のモータ１４の回転速度を検出する回転センサ４２などからの信号が入力されるようになっている。そして、制御装置４０は、これらの信号及び予め備えたプログラムに基づき、インバータ回路４３を介してモータ１４を制御すると共に、駆動回路４４を介して、ブザー４５、表示部３４、洗濯水加熱用のヒータ２１、排水弁２２、温風生成装置２４の温風用ヒータ２７及びファンモータ３１、給水弁４６などを制御する機能を有している。
【００４２】
次に、本実施例の作用について図８をも参照して説明する。図８は、ドラム式洗濯機による洗い、すすぎ、脱水の運転の流れを概略的に説明するもので、（ａ）はドラム７に注水される水位を示し、（ｂ）はドラム７の回転速度及び回転方向を示す。これらは制御装置４０によって制御される。尚、正転はフィルタ面５２Ｂ方向，反転はフィルタ面５２Ａ方向と定義する。
【００４３】
また、以下に述べる洗濯コースは、ユーザが「リント捕集モード」を選択した場合に実行されるようになっており、上記コースを選択しなかった場合には、従来と同様の洗濯コースが実行される。即ち、ドラム式洗濯機では縦型洗濯機に比較すれば糸くず等の発生量が元々少ないので、ユーザによっては、或いは洗濯物の種類によっては、糸くず等を捕集する必要性を感じない場合も想定されるからである。
【００４４】
先ず、▲１▼「洗い」運転では、水位は洗濯物の量に応じて図５に示すＬ１〜Ｌ３の何れかのレベルである。そして、ドラム７の回転速度は５０ｒｐｍ，回転方向は正転，反転を交互に繰り返す（例えば、正転で２７秒回転させて３秒間停止、反転で２７秒回転させて３秒間停止、・・・）。次の▲２▼「脱水１」運転では、回転速度は１０００ｒｐｍ，回転方向は正転である。
【００４５】
続く▲３▼「すすぎ１」運転では、従来のドラム式洗濯機であれば、▲１▼の「洗い」運転と同じ水位で正転，反転を交互に繰り返すが、本実施例では、前半の１０分は水位を図５に示すＬ４まで大きく上昇させ、回転速度は５０ｒｐｍ，回転方向は反転とする。即ち、一般に、ドラム式洗濯機は、縦型洗濯機に比較して少ない水量で洗濯を行なえることが特徴だが、糸くず等をフィルタ５０で捕集する場合、水位をより高くした方が洗濯物に付着している糸くず等を遊離させ易い。そして、ドラム式洗濯機のすすぎ運転では、ドラム７内の水位を高くしてもすすぎ効果が低下するということはない。
【００４６】
また、回転方向を反転のみとして、フィルタ５０の大開口部５７が配置されているフィルタ面５２Ａ方向に回転させることで、大開口部５７より糸くず等を取込んでフィルタ５０により捕集する。但し、ドラム７を１方向に回転させ続けると洗濯物が絡まるおそれもあるので、途中で排水を行い、後半の５分は▲１▼の「洗い」運転と同じ水位で正転，反転を交互に繰り返す。
その後、▲４▼「脱水２」と▲５▼「すすぎ２」は▲２▼，▲３▼と同じパターンを繰り返し、▲６▼「最終脱水」を経て（▲２▼と同様）脱水までの行程を終了する。
【００４７】
尚、ドラム７の背面部に形成されている凸部７ａは、ドラム７の回転時に水をかき上げる作用をなすので、そのかき上げられた水は、凸部７ａの位置に合わせて形成されているバッフル９Ａに沿ってフィルタ５０へ流れ込み易くなる。従って、フィルタ５０による糸くず等の捕集効果を高める作用もなしている。
【００４８】
以上のように本実施例によれば、ドラム７の内部において糸くずなどを捕集するため、二つのフィルタ面５０Ａ，５０Ｂに夫々複数の大開口部５７，小開口部５６を有するフィルタ５０を、バッフル９Ａの内部に配置した。従って、一旦捕集された糸くず等が再度フィルタ５０の外部に放出されることを極力防止して捕集効率を高めることができる。
【００４９】
また、フィルタ面５０Ａの洗濯物の投入方向奥側に小開口部５６を配置したので、ドラム７の回転軸が洗濯物の投入方向奥側に向かって下方側に傾斜していることによる水位との関係により、一旦捕集された糸くず等が再度フィルタ５０の外部に放出されることを防止して、捕集効率をより高めることができる。
【００５０】
更に、すすぎ運転時におけるドラム７内の水位を、洗い運転時における水位よりも高くなるように設定したので、洗濯物に付着している糸くず等を遊離させ易くしてすすぎ運転時におけるフィルタ５０による糸くず等の捕集効率を高めることができる。
【００５１】
そして、すすぎ運転時におけるドラム７の回転方向を、フィルタ５０のフィルタ面５２Ａが配置されている一方向としたので、すすぎ運転においてフィルタ面５２Ａの大開口部５７により糸くず等をより多く捕集することができる。加えて、ドラム７の回転方向を一方向としてすすぎ運転を行った後、ドラム７内の水位を低下させ、回転方向を正反転させて更にすすぎ運転を行うようにしたので、洗濯物が絡み合う布絡みを防止することができる。
【００５２】
また、上述のすすぎ運転を選択的に実行可能としたので、ユーザの判断で、フィルタ５０により糸くず等を捕集することよりも、使用される水量を節約する方を優先させたい場合には、選択的に通常と同様のすすぎ運転を行わせることができる。
【００５３】
また、バッフル９Ａにも、フィルタ機能を成すためのメッシュ５８を形成したので、フィルタ５０によって糸くず等を捕集する前の段階で、バッフル９Ａでフィルタ効果を得ることができる。そして、バッフル９Ａの径方向断面形状を、フィルタ５０の取付け位置に対して非対称にしたので、フィルタ５０によるフィルタ効果を良好に得ることができると共に、バッフル９Ａをドラム７の内周面に固着するための機構部をバッフル９Ａ内部に形成することができる。
【００５４】
更に、フィルタ５０を、バッフル９Ａに対して着脱可能に構成し、その着脱を行なうための操作部５３を洗濯物の投入方向手前側に備えたので、ユーザがフィルタ５０をバッフル９Ａより容易に取外して清掃等を行なうことが可能となる。また、フィルタ５０を、ヒンジ５５を有して本体が開閉可能に構成したので、フィルタ５０内部に捕集された糸くず等の除去を容易に行うことができる。また、フィルタ５０を、バッフル９Ａの上面側から着脱を行い、装着した際にバッフル９Ａの上面部５４を閉塞するように構成したので、フィルタ５０が捕集した糸くず等が上面部５４から放出されることを防止できる。
【００５５】
加えて、各バッフル９を、ドラム７の背面に補強のために形成されている凸部７ａの位置に合わせて配置した。即ち、その凸部７ａも、ドラム７の背面側に位置する洗濯物に対してはバッフル９と同様の作用をなすことになるので、洗濯作用をより向上させることができる。また、凸部７ａによってかき上げられた水をバッフル９Ａに沿ってフィルタ５０へ導く作用もなすので、フィルタ５０による糸くず等の捕集効率を向上させる効果がある。
【００５６】
本発明は上記し且つ図面に記載した実施例にのみ限定されるものではなく、以下のような変形または拡張が可能である。
フィルタ面５２Ｂの開口部を、フィルタ面５２Ａと同じパターンに形成しても良い。
フィルタ面５２Ａには、大開口部５７のみを配置しても良い。
バッフル９Ａに配置するメッシュ５８は、必要に応じて設ければ良い。
フィルタ５０は、必ずしも本体を開閉可能に構成する必要はなく、単に箱状に形成しても良い。
フィルタ５０は、必ずしもバッフル９Ａに対して着脱可能に構成する必要はなく、両者を一体に構成しても良い。
すすぎ運転の後半において、従来と同様のすすぎ運転となる行程は必要に応じて行なえば良い。
水位を上昇させてすすぎ運転時を行う場合、２つのフィルタ面に形成する開口部の大きさは、同じであっても良い。
「リント捕集コース」は選択的に行なうようにする必要はなく、固定的に実施するようにしても良い。
【００５７】
【発明の効果】
請求項１記載のドラム式洗濯機によれば、バッフルの内部に配置される箱状のフィルタにおいて、ドラムが回転する方向に位置する二つのフィルタ面に、夫々大きさが異なる複数の開口部を備えたので、より大きな開口部が設けられているフィルタ面方向にドラムが回転すると、水中に浮遊している糸くず等は大きな開口部を介してフィルタの内部で捕集され、回転方向が反転した場合に一旦捕集された糸くず等が再度フィルタ外部に放出されることもない。従って、糸くず等の捕集効率を高めることができる。
【００５８】
請求項２記載のドラム式洗濯機によれば、回転軸が洗濯物の投入方向に対して下方に傾斜してなるドラムを備え、そのドラムの内周面に配置されるバッフルの内部に箱状のフィルタを配置して、そのフィルタが有する二つのフィルタ面に配置する複数の開口部の内、洗濯物の投入方向奥側に位置するものを、投入方向手前側に位置するものよりも開口面積が小さくなるように形成した。従って、ドラム内の水位との関係により、一旦捕集された糸くず等が再度フィルタ外部に放出されることを防止して、糸くず等の捕集効率を高めることができる。
【００５９】
請求項３記載のドラム式洗濯機によれば、バッフルの内部に箱状のフィルタを配置し、すすぎ運転時におけるドラム内の水位を、洗い運転時における水位よりも高くなるように設定したので、すすぎ運転時においてフィルタによる糸くず等の捕集効率を高めることができる。
【図面の簡単な説明】
【図１】本発明の一実施例であり、（ａ）は、バッフルにフィルタが装着された状態を示す斜視図、（ｂ），（ｃ）は、分離した状態のフィルタ，バッフルを夫々示す斜視図、（ｄ）はフィルタ本体を開いた状態を示す斜視図
【図２】（ａ），（ｂ）は、フィルタの両側に配置されるフィルタ面を夫々示す図
【図３】（ａ）はバッフルの底面図，（ｂ）は（ａ）のＡ−Ｂ断面を示す図
【図４】バッフルと水位との関係により、フィルタによって糸くず等が捕集される作用を説明する図
【図５】ドラム式洗濯機の全体構成を示す縦断側面図
【図６】ドラムの背面に形成されている凸部とバッフルとの配置関係を示す正面図
【図７】ドラム式洗濯機の電気的構成を示す機能ブロック図
【図８】ドラム式洗濯機による洗い、すすぎ、脱水の運転の流れを概略的に説明するもので、（ａ）はドラムに注水される水位、（ｂ）はドラムの回転速度及び回転方向を示す図
【符号の説明】
７はドラム、９Ａはバッフル、５０はフィルタ、５２Ａ，５２Ｂはフィルタ面、５３は操作部、５４は上面部、５５はヒンジ、５６は小開口部、５７は大開口部、５８はメッシュを示す。
【図１】
2004089339.tif 000003
【図２】
2004089339.tif 000004
【図３】
2004089339.tif 000005
【図４】
2004089339.tif 000006
【図５】
2004089339.tif 000007
【図６】
2004089339.tif 000008
【図７】
2004089339.tif 000009
【図８】
2004089339.tif 000010